(57)【要約】【課題】使用に際して危険を伴うことが無く、また部品点数も少なく、更に不測の破損等にも対応可能な、フロントオープン式の額縁を提供すること。【解決手段】側壁２０１とその上部及び中間部に連設された枠材側前壁２０２及び中仕切り２０４と中仕切りの先端に形成された枠材側係止部２０５と中仕切りにより形成された係止空間２０６及び挿入空間２０７と挿入空間に形成された嵌合凹部２０８を備えた枠材２と、互いに直交するコーナー壁４０１及びその上部に連設したコーナー側前壁４０２を備えるコーナー部４とコーナー壁に連設した、挿入空間に回動自在に挿入される係止突起５と、係止突起５に形成した切り欠き５０１に突設した、嵌合凹部に嵌合可能な嵌合部５０３と、係止突起を連通したプレート６に形成した、枠材側係止部に係止される連結部材側係止部６０２を備えた連結部材を有し、コーナー側前壁と枠材側前壁を略面一とした。【選択図】              図１
2004357953.tif 000002
【特許請求の範囲】
【請求項１】
複数本の長尺状の枠材（２）を連結部材（３）によって略四角形状に枠組みして構成される額縁（１）であって、
前記枠材（２）はそれぞれ、
額縁（１）の側壁を構成する側壁部（２０１）と、
該側壁部（２０１）における長手方向に沿った上部に額縁（１）の内周側に連設された枠材側前壁部（２０２）と、
前記側壁部（２０１）における長手方向に沿った中間部に額縁（１）の内周側に向けて連設された中仕切り部（２０４）と、
該中仕切り部（２０４）の略先端部に形成された枠材側係止部（２０５）と、
前記枠材側前壁部（２０２）と前記中仕切り部（２０４）により形成された係止空間（２０６）と、
前記中仕切り部（２０４）により形成された挿入空間（２０７）と、
該挿入空間（２０７）に形成された第１及び第２の嵌合凹部（２０８Ａ、２０８Ｂ）と、を備え、
前記連結部材（３）は、
額縁（１）のコナーを構成する、互いに直交するコーナー壁（４０１）及び該コーナー壁（４０１）の上部に連設されたコーナー側前壁部（４０２）とを備えるコーナー部（４）と、
前記コーナー壁（４０１）のそれぞれの下部に連設された、前記挿入空間（２０７）に挿入されることにより前記枠材（２）を回動自在に支持する係止突起部（５）と、
該係止突起部（５）における額縁（１）の外周側に形成した切り欠き部（５０１）と、
該切り欠き部（５０１）に額縁（１）の外周側に向けて突設した、前記第１及び第２の嵌合凹部（２０８Ａ、２０８Ｂ）に嵌合可能な嵌合部（５０３）を備えた嵌合突起（５０２）と、
前記係止突起部（５）を連通したプレート部（６）と、
該プレート部（６）に形成した、前記枠材（２）を閉じた際に前記中仕切り部（２０４）の略先端部に形成された枠材側係止部（２０５）と互いに係止される連結部材側係止部（６０２）と、を備え、
前記コーナー側前壁部（４０２）と前記枠材側前壁部（２０２）とを略面一としたことを特徴とする額縁。
【請求項２】
前記挿入空間（２０７）内部を湾曲形状にするとともに、前記係止突起部（５）の外周を略湾曲形状としたことを特徴とする請求項１に記載の額縁。
【発明の詳細な説明】
【０００１】
【発明の属する技術分野】
本発明は、連結部材を用いて枠材を開閉自在に枠組みして構成されるフロントオープン式の額縁に係り、より詳しくは、枠材を開放した際に安全に絵画等を挿入可能な額縁に関する。
【０００２】
【従来の技術】
従来から、絵画、賞状、写真等を飾るものとして額縁が提供されており、この額縁の中には、特公平７−８７８１３号公報、特許第２９４８７６５号公報に示されるような、正面側から絵画、賞状、写真等を挿入可能とした、いわゆるフロントオープン式のものが提案されている。
【０００３】
即ち、図６は、前記特公平７−８７８１３号公報に示されるフロントオープン式の額縁（以下「従来の額縁」という。）を示す斜視図であり、図６において３１が従来の額縁である。そして、この従来の額縁３１では、額縁のコーナーを構成する連結部材３３を用いて、長尺の枠材３２を回動自在に略四角形状に枠組みして構成されている。
【０００４】
ここで、図７は、前記枠材３２と連結部材３３との関係を説明するための図であり、図において、枠材３２は、中仕切り３２０１によって第１空間３２０２及び第２の空間３２０３に分割されている。また、連結部材３３は、額縁３１のコーナーを形成する、交叉する側面３３０１を有しており、この側面３３０１を前記第２の空間内に挿入することで、枠材３２を回動自在に枠組みしている。
【０００５】
また、前記中仕切り３２０１の先端部には回動係止部３２０４が第２空間３２０３側に向けて形成されるとともに、前記連結部材３３の上部及び下部には、前記回動係止部３２０４に係止される回動停止部３３０２が形成されており、これにより、前記枠材３２を開閉した際にその位置を維持可能としている。
【０００６】
また、前記特公平７−８７８１３号では、図８に示すような形態も開示されており、この形態では、枠材の一方３４のみを回動自在にし、他方３５を回動不能にしており、また、枠材３４、３５の端部を直角に切断するとともに、回動する枠材３４の両端にキャップ３６を取り付けて蓋としている。
【０００７】
【特許文献１】
特公平７−８７８１３号公報（図１、図２、図３、図８、図１８）
【特許文献２】
特許第２９４８７６５号公報（図１、図２、図３、図８）
【０００８】
【発明が解決しようとする課題】
しかしながら、前記従来の額縁では、枠材を閉じた際に枠材の端部でコーナーを構成しているため、枠部材の端部を鋭角にせざるを得ず、そのために、枠材を開いた際に、鋭角にした枠材の角が露出してしまい危険であるという問題点が考えられる。
【０００９】
また、枠部材の端部を直角に切断した形態では、このような危険を防止することはできるが、この形態では、枠材の両端にキャップを取り付けなければならないために、部品点数が多くなってしまうという問題点が考えられる。
【００１０】
更に、従来の額縁では、中仕切りに回動係止部を形成するとともに、連結部材の上部及び下部に、前記回動係止部に係止される回動停止部が形成される形態としているため、何らかの原因により回動係止部が破損した場合には、枠材を開閉した際にその位置を維持することが不可能となってしまう。
【００１１】
そこで、本発明は、使用に際して危険を伴うことが無く、また部品点数も少なく、更に不測の破損等にも対応可能な、フロントオープン式の額縁を提供することを課題としている。
【００１２】
【課題を解決するための手段】
本発明の額縁は、複数本の長尺状の枠材を連結部材によって略四角形状に枠組みして構成される額縁であって、
前記枠材はそれぞれ、額縁の側壁を構成する側壁部と、該側壁部における長手方向に沿った上部に額縁の内周側に連設された枠材側前壁部と、前記側壁部における長手方向に沿った中間部に額縁の内周側に向けて連設された中仕切り部と、該中仕切り部の略先端部に形成された枠材側係止部と、前記前壁部と前記中仕切り部により形成された係止空間と、前記中仕切り部により形成された挿入空間と、該挿入空間に形成された第１及び第２の嵌合凹部と、を備え、
前記連結部材は、額縁のコーナーを構成する、互いに直交するコーナー壁及び該コーナー壁の上部に連設されたコーナー側前壁部とを備えるコーナー部と、前記コーナー壁部のそれぞれの下部に連設された、前記挿入空間に挿入されることにより前記枠材を回動自在に支持する係止突起部と、該係止突起部における額縁の外周側に形成した切り欠き部と、該切り欠き部に額縁の外周側に向けて突設した、前記第１及び第２の嵌合凹部に嵌合可能な嵌合部を備えた嵌合突起と、前記係止突起部を連通したプレート部と、該プレート部に形成した、枠材を閉じた際に前記中仕切り部の略先端部に形成された枠材側係止部と互いに係止される連結部材側係止部と、を備え、
前記コーナー側前壁部と前記枠材側前壁部とを略面一としたことを特徴としている。
【００１３】
本発明の額縁では、額縁のコーナーを構成するコーナー部の下部に係止突起部を連設し、この係止突起部を枠材に形成した挿入空間に挿入することにより、枠材を回動自在としており、従って、額縁のコーナーはコーナー部により構成している。そのために、枠材の端部を鋭角にする必要がなく、従って、枠材を開いた際に鋭利な部分が露出することがなく安全に絵画等を挿入することができる。
【００１４】
また、コーナー部分と枠材部分とを略面一にしているために、枠材の両端にキャップを取り付ける必要もなく、部品点数が多くなることもない。
【００１５】
更に、枠材を閉じた際には中仕切り部の略先端部に形成した枠材側係止部と連結部材側に形成した枠材側係止部とを互いに係止させて枠材を閉じた状態を維持可能にするとともに、連結部材に嵌合突起を形成し、枠材を閉じた際及び開いた際の双方において、枠材における挿入空間内に形成した第１及び第２の嵌合凹部のいずれかに嵌合突起を嵌合させる構成としているために、何らかの原因によって係止部が破損し、あるいは嵌合突起が破損した場合でも、枠材を開閉した際にその状態を維持することができる。
【００１６】
【実施例】
本発明の額縁の実施例について図面を参照して説明すると、図１は本実施例の額縁を示す斜視図であり、図において１が本実施例の額縁である。そして、図に示されるように、本実施例の額縁１は、長尺状の４本の枠材２を、額縁１のコーナーを構成する連結部材３によって、略四角形状に枠組みして構成されるとともに、前記枠材２を回動自在としている。
【００１７】
ここで、図３は、前記枠材２を示す斜視図であり、本実施例において前記枠材２は、全体として長尺状としており、コーナー部分を除いた額縁１の側壁を構成する側壁部２０１を備えており、この側壁部２０１の上部には、長手方向に沿って、額縁１の内周側に向けて、額縁１におけるコーナー部分を除いた前壁を構成する枠材側前壁部２０２が連設されている。
【００１８】
そして、この枠材側前壁部２０２における先端側は、前記側壁部２０１と略同一方向へ向けて変形させており、その変形部分の先端部２０３を、額縁１の内周側に係止する賞状、絵画等の周縁部に当接する当接部としている。
【００１９】
次に、前記側壁部２０１における中間部には、側壁部２０１の長手方向に沿って、額縁１の内周側に向けて中仕切り部２０４が連設されており、この中仕切り部２０４と前記枠材側前壁部２０２によって、賞状、絵画等の周辺部を係止する係止空間２０６が形成され、中仕切り部２０４の上面部が賞状、絵画等の周辺部を載置する載置部２０９とされる。
【００２０】
また、前記中仕切り部２０４の略先端部には、額縁１の内周側に向けて枠材側係止部２０５が形成されている。
【００２１】
更に、前記側壁部２０１の下部は、額縁１の内周側に向けてわずかに湾曲させており、この湾曲させた部分と前記中仕切り部２０４の下面によって挿入空間２０７が形成されている。
【００２２】
そして、この挿入空間２０７には、第１の嵌合凹部２０８Ａ及び第２の嵌合凹部２０８Ｂが形成されている。
【００２３】
次に、図２は、前記連結部材３を示す斜視図であり、本実施例において前記連結部材３は、互いに直交方向に連設されたコーナー壁４０１を備えており、このコーナー壁４０１の上部には、額縁のコーナー部の前壁を構成するコーナー側前壁部４０２を連設し、このコーナー壁４０１とコーナー側前壁部４０２によりコーナー部４を形成している。そして、本実施例においては、前記枠材２を額縁１の内周側に回動して閉じた際に、枠材側前壁部２０２の上面と前記コーナー側前壁部４０２の上面とが略同一面になるように構成している。
【００２４】
次に、前記コーナー壁４０１のそれぞれの下部には、枠材の長手方向と同一方向に向けて係止突起部５を連設しており、これにより、連結部材３は一対の係止突起部５を備える構成としている。そして、本実施例においては、この係止突起部５を前記枠材２における挿入空間２０７内に挿入することにより、４本の枠材２を、略四角形状に、かつ回動自在に枠組みしている。即ち、本実施例においては、４個の連結部材を用いて、それぞれの一対の係止突起５に枠材の挿入空間２０７を嵌装することにより、額縁１を構成している。
【００２５】
次に、この係止突起５における額縁１の外周側には、切り欠き５０１を形成しており、この切り欠き５０１内には、額縁１の外周側に向けて嵌合突起５０２を突設するとともに、この嵌合部５０３の略先端部には、前記挿入空間２０７内に形成した第１及び第２の嵌合凹部２０８Ａ、２０８Ｂのいずれにも嵌合可能な嵌合部５０３を形成している。そして、本実施例においては、枠材２を額縁１の内周側に閉じた際には第１の嵌合凹部２０８Ａ内に嵌合部５０３が嵌合し、一方、枠材を額縁１の外周側に回動した際には前記第２の嵌合凹部２０８Ｂ内に嵌合部５０３が嵌合するようにして、第１及び第２の嵌合凹部２０８Ａ、２０８Ｂの位置と嵌合部５０３の形成位置を調整している。
【００２６】
次に、前記係止突起部５間にはプレート６を備えており、これにより、プレート６によって前記係止突起部５を連通している。そして、プレート６において、前記係止突起部５の近傍には、具体的には、枠材を額縁１の内周側に閉じた際において前記中仕切り部２０４の略先端部に形成した枠材側係止部２０５が位置する箇所には、係止片６０１が突設されており、この係止片６０１の略先端部には、前記枠材側係止部２０５と互いに係止される連結部材側係止部６０２が形成されている。
【００２７】
次に、このように構成される本実施例の額縁の作用について説明すると、図１において、任意の枠材２に対して、額縁１の外周側に回動させる方向に力を加えるとともに、これを、連結部材２の嵌合部５０３が挿入空間２０７内に形成した第２の嵌合凹部２０８Ｂ内に嵌合するまで継続する。そうすると、枠材２は、その挿入空間２０７内周が係止突起部５と外周と摺動しながら額縁１の外周側へ回動するとともに、連結部材２の嵌合部５０３が挿入空間２０７内に形成した第２の嵌合凹部２０８に嵌合することによって、その状態が維持される。この状態を示した断面図が図５である。
【００２８】
そして、この状態において、賞状、絵画等を、あるいはこの賞状、絵画等を透明な平板（以下「透明体」という。）及び裏板により挟み込んだ状態で、その周辺部が中仕切り部２０４の上面の載置部２０９に載置されるような配置で額縁１内に挿入し、その後に枠材２に、閉じる方向に向けて力を加える。
【００２９】
そうすると、枠材２は、前記と逆方向に回動した後に、枠材側係止部２０５が連結部材側係止部６０２と互いに係止するとともに、嵌合部５０３が第１の嵌合凹部２０８Ａ内に嵌合し、これにより枠材２が固定される。この状態における枠材２と連結部材３との関係を示した断面図が図４である。
【００３０】
このように、本実施例の額縁では、枠材２を回動して開閉することのみで賞状、絵画等を挿入可能であるとともに、連結部材３によって額縁１のコーナーを構成しているため、枠材２の端部を鋭角にする必要がなく、枠材２開いた際に鋭利な部分が露出することなく、安全に賞状、絵画等の出し入れが可能である。
【００３１】
また、本実施例では、前記枠材２を額縁１の内周側に回動して閉じた際に、枠材側前壁部２０２の上面と前記コーナー側前壁部４０２の上面とが略同一面になるように構成しているため、前述の従来の額縁と異なり、コーナー部分にキャップ等を装着する必要がなく、そのために部品点数を少なくすることができる。
【００３２】
更に、本実施例の額縁では、中仕切り２０４の略先端部に形成した枠材側係止部２０５と連結部材３側に形成した連結部材側係止部６０２との係止によって枠材２を閉じた際の状態を維持可能にするとともに、挿入空間２０７内に形成した第１及び第２の嵌合凹部２０８Ａ、２０８Ｂと連結部材３側に形成した嵌合部５０３との嵌合によっても枠材２の位置を維持可能としているために、何らかの原因によって枠材側係止部２０５あるいは連結部材側係止部６０２が破損した場合でも、第１あるいは第２の嵌合凹部２０８Ａ、２０８Ｂと嵌合部５０３との嵌合によって、枠材２の開閉状態を維持することが可能である。
【００３３】
【発明の効果】
本発明の額縁は以上説明した形態で実施され、以下に記載するような効果を奏する。
【００３４】
本発明の額縁では、額縁のコーナーを構成するコーナー部の下部に係止突起部を連設し、この係止突起部を枠材に形成した挿入空間に挿入することにより、枠材を回動自在としており、これによって額縁のコーナーをコーナー部により構成している。そのため、枠材の端部を鋭角にする必要がなく、枠材を開いた際に鋭利な部分が露出することがなく安全に絵画等を挿入することができる。
【００３５】
また、コーナー部分と枠材部分とを略面一にしているために、枠材の両端にキャップを取り付ける必要もなく、部品点数が多くなることもない。
【００３６】
更に、枠材を閉じた際には中仕切り部の略先端部に形成した枠材側係止部と連結部材側に形成した枠材側係止部とを互いに係止させて枠材を閉じた状態を維持可能にするとともに、連結部材に嵌合突起を形成し、枠材を閉じた際及び開いた際の双方において、枠材における挿入空間内に形成した第１及び第２の嵌合凹部のいずれかに嵌合突起を嵌合させる構成としているために、何らかの原因によって係止部が破損し、あるいは嵌合突起が破損した場合でも、枠材を開閉した際にその状態を維持することができる。
【図面の簡単な説明】
【図１】本発明の額縁の実施例を示す斜視図である。
【図２】本発明の額縁の実施例における連結部材を説明する斜視図である。
【図３】本発明の額縁の実施例における枠材を説明する斜視図である。
【図４】本発明の額縁の実施例の作用を説明するための断面図である。
【図５】本発明の額縁の実施例の作用を説明するための断面図である。
【図６】従来の額縁を説明するための図である。
【図７】従来の額縁を説明するための図である。
【図８】従来の額縁を説明するための図である。
【符号の説明】
１    額縁
２    枠材
２０１    側壁部
２０２    枠材側前壁部
２０３    枠材側前壁部の先端部
２０４    中仕切り部
２０５    枠材側係止部
２０６    係止空間
２０７    挿入空間
２０８Ａ、２０８Ｂ    嵌合凹部
２０９    載置部
３    連結部材
４    コーナー部
４０１    コーナー壁
４０２    コーナー側前壁部
５    係止突起
５０１    切り欠き
５０２    嵌合突起
５０３    嵌合部
６    プレート
６０１    係止片
６０２    連結部材側係止部
【図１】
2004357953.tif 000003
【図２】
2004357953.tif 000004
【図３】
2004357953.tif 000005
【図４】
2004357953.tif 000006
【図５】
2004357953.tif 000007
【図６】
2004357953.tif 000008
【図７】
2004357953.tif 000009
【図８】
2004357953.tif 000010